(57)【要約】【課題】本発明の解決しようとする課題は、商品を陳列する高さに応じて、表示面の角度を変えることが可能であり、廃棄処理の容易な紙材料のみからなる表示体を提案するものである。【解決手段】紙製の表示体であって、必要な情報を表示する表示板を少なくとも含む表示部と、該表示部を保持する固定部とを有し、前記表示板の角度を変更する表示板角度変更機構を有することを特徴とする紙製表示体である。前記固定部は、箱構造の固定部本体と引掛板を有し、前記表示部は、該表示部を前記固定部に接着する接着片と、該接着片に折線を介して順次連設した表示板保持板と表示板と表示板角度変更板と差込片を有し、前記表示角度変更機構は、前記表示板保持板と表示板と表示板角度変更板と前記固定部本体の表示部保持板の４辺で疑似リンク機構を構成し、前記差込片の、差込み位置を変更することによって、前記表示板の角度を変更するものであることを特徴とする。【選択図】図１
2010243701.tif 000002
【特許請求の範囲】
【請求項１】
紙製の表示体であって、必要な情報を表示する表示板を少なくとも含む表示部と、該表示部を保持する固定部とを有し、前記表示板の角度を変更する表示板角度変更機構を有することを特徴とする紙製表示体。
【請求項２】
前記固定部は、箱構造の固定部本体と引掛板を有し、前記表示部は、該表示部を前記固定部に接着する接着片と、該接着片に折線を介して順次連設した表示板保持板と表示板と表示板角度変更板と差込片を有し、前記表示角度変更機構は、前記表示板保持板と表示板と表示板角度変更板と前記固定部本体の表示部保持板の４辺で疑似リンク機構を構成し、前記差込片の、差込み位置を変更することによって、前記表示板の角度を変更するものであることを特徴とする請求項１に記載の紙製表示体。
【請求項３】
前記表示板の下辺に前記表示板角度変更板が折線を介して連設されており、前記差込片の差込み位置が前記固定部本体の表示部保持板の中央部と下部の２箇所であることを特徴とする請求項２に記載の紙製表示体。
【請求項４】
前記表示板の上辺に前記表示板角度変更板が折線を介して連設されており、前記差込片の差込み位置が前記固定部本体上面の前部と後部の２箇所であることを特徴とする請求項２に記載の紙製表示体。
【請求項５】
前記固定部は、箱構造の固定部本体と引掛板と該固定部本体の表示部保持板下部に折線を介して連設した２枚の表示板角度変更板と表示板保持板と接着片を有し、該接着片は、前記固定部本体の表示部保持板上部に接着されており、前記表示部は、前記表示板保持板に接着された表示板からなり、前記表示角度変更機構は、前記表示板保持板と前記２枚の表示板角度変更板と前記固定部本体の表示部保持板の４辺で疑似リンク機構を構成し、前記２枚の表示板角度変更板の屈伸によって前記表示板保持板の角度を変更するものであることを特徴とする請求項１に記載の紙製表示体。
【請求項６】
前記２枚の表示板角度変更板の左右両端部に、折線を介して伸時固定用耳辺を設けたことを特徴とする請求項５に記載の紙製表示体。
【発明の詳細な説明】
【技術分野】
【０００１】
本発明は、小売り店舗などにおいて、販売商品陳列棚の前柵に設置して、商品名や販売価格、その他の情報を表示する表示体に関するものである。
【背景技術】
【０００２】
従来からスーパーマーケットやコンビニエンスストアなどの小売り店舗においては、商品の落下を防止する前柵を設けた陳列棚が一般的に使用されている。商品名や価格などを表示する表示体は、この前柵に設置される場合が多いが、その表示面は、正面を向いているか、若干上向きの傾斜面であるものが一般的であり、表示角度は一定の角度に固定されていた。
【０００３】
このような表示体は、商品を陳列する棚の高さが、顧客の目の高さに近い範囲であれば、問題はないが、低い棚に陳列された場合、表示面が見難くなるという問題があった。また表示体の材料としては、プラスチック製の外枠に、紙製のラベルを挿入する形式のものが多かった。
【０００４】
特許文献１に記載された商品陳列棚用の表示体は、プラスチック製の表示面と紙製の商品載せ台を組み合わせ、表示面を取り替えられるようにした表示体である。この表示体は、さまざまな商品に対して、共通に使用できる汎用性の高い表示体であり、表示面の交換が容易に可能である点を特徴とする。
【先行技術文献】
【特許文献】
【０００５】
【特許文献１】実開平5-76371号公報
【発明の概要】
【発明が解決しようとする課題】
【０００６】
特許文献１に記載された表示体は、表示面の角度が一定であるため、商品の設置場所によっては、視認性が劣る場合があった。また構成材料がプラスチックと紙の複合であるため、廃棄時の分別の手間がかかり、廃棄のコストもかかるという問題があった。
【０００７】
本発明の解決しようとする課題は、商品を陳列する高さに応じて、表示面の角度を変えることが可能であり、廃棄処理の容易な紙材料のみからなる表示体を提案するものである。
【課題を解決するための手段】
【０００８】
上記の課題を解決するための手段として、請求項１に記載の発明は、紙製の表示体であって、必要な情報を表示する表示板を少なくとも含む表示部と、該表示部を保持する固定部とを有し、前記表示板の角度を変更する表示板角度変更機構を有することを特徴とする紙製表示体である。
【０００９】
また、請求項２に記載の発明は、前記固定部が、箱構造の固定部本体と引掛板を有し、前記表示部は、該表示部を前記固定部に接着する接着片と、該接着片に折線を介して順次連設した表示板保持板と表示板と表示板角度変更板と差込片を有し、前記表示角度変更機構は、前記表示板保持板と表示板と表示板角度変更板と前記固定部本体の表示部保持板の４辺で疑似リンク機構を構成し、前記差込片の、差込み位置を変更することによって、前記表示板の角度を変更するものであることを特徴とする請求項１に記載の紙製表示体であ
る。
【００１０】
また、請求項３に記載の発明は、前記表示板の下辺に前記表示板角度変更板が折線を介して連設されており、前記差込片の差込み位置が前記固定部本体の表示部保持板の中央部と下部の２箇所であることを特徴とする請求項２に記載の紙製表示体である。
【００１１】
また、請求項４に記載の発明は、前記表示板の上辺に前記表示板角度変更板が折線を介して連設されており、前記差込片の差込み位置が前記固定部本体上面の前部と後部の２箇所であることを特徴とする請求項２に記載の紙製表示体である。
【００１２】
また、請求項５に記載の発明は、前記固定部が、箱構造の固定部本体と引掛板と該固定部本体の表示部保持板下部に折線を介して連設した２枚の表示板角度変更板と表示板保持板と接着片を有し、該接着片は、前記固定部本体の表示部保持板上部に接着されており、前記表示部は、前記表示板保持板に接着された表示板からなり、前記表示角度変更機構は、前記表示板保持板と前記２枚の表示板角度変更板と前記固定部本体の表示部保持板の４辺で疑似リンク機構を構成し、前記２枚の表示板角度変更板の屈伸によって前記表示板保持板の角度を変更するものであることを特徴とする請求項１に記載の紙製表示体である。
【００１３】
また、請求項６に記載の発明は、前記２枚の表示板角度変更板の左右両端部に、折線を介して伸時固定用耳辺を設けたことを特徴とする請求項５に記載の紙製表示体である。
【発明の効果】
【００１４】
本発明に係る紙製表示体は、必要な情報を表示する表示板を少なくとも含む表示部と、該表示部を保持する固定部とを有し、前記表示板の角度を変更する表示板角度変更機構を有するものであるから、固定部を利用して表示板を一定の角度に保持し表示することができ、かつこの角度を変更することが可能であるから、例えば小売り店舗の商品陳列棚に表示した場合、高い棚においては、表示角度を垂直に近い角度とし、低い棚においては、表示角度を上向きにして視認性を高めることが可能となる。
【００１５】
また、本発明に係る紙製表示体は、すべての部品が紙材料からなるので、不要となった時点での廃棄処理が容易であり、古紙としてのリサイクルも可能である。また表示体を構成するのは、２つの部品だけであり、いずれも紙材料のみからなるため、コスト的にも有利である。従って、長期間使用せず、一時期のみ使用する、例えばキャンペーン用のＰＯＰなどには好適に使用できる。
【００１６】
請求項２に記載の発明においては、固定部が、箱構造の固定部本体と引掛板を有するので、表示体としての必要な強度を確保することができ、引掛板を利用して、商品陳列棚の前柵に簡単に引っ掛けることができる。また、表示部は、表示部を固定部に接着する接着片と、接着片に折線を介して順次連設した表示板保持板と表示板と表示板角度変更板と差込片を有し、前記表示角度変更機構は、前記表示板保持板と表示板と表示板角度変更板と前記固定部本体の表示部保持板の４辺で疑似リンク機構を構成し、前記差込片の、差込み位置を変更することによって、前記表示板の角度を変更するものであるから、表示角度の設定変更が容易に可能である。
【００１７】
また、請求項５に記載の発明においては、固定部が、箱構造の固定部本体と引掛板と該固定部本体の表示部保持板下部に折線を介して連設した２枚の表示板角度変更板と表示板保持板と接着片を有し、該接着片は、前記固定部本体の表示部保持板上部に接着されており、前記表示部は、前記表示板保持板に接着された表示板からなり、前記表示角度変更機構は、前記表示板保持板と前記２枚の表示板角度変更板と前記固定部本体の表示部保持板の４辺で疑似リンク機構を構成し、前記２枚の表示板角度変更板の屈伸によって前記表示
板保持板の角度を変更するものであるため、固定部に表示板以外のすべての機能が集中しており、従って固定部は、さまざまな表示体に対して共通に使用できるという効果がある。また表示部は、表示板のみからなるので、表示板の外形形状に対する自由度が高く、さまざまな形状の表示板を用いることが可能である。また表示角度の変更は、２枚の表示角度変更板の屈伸によって行われるため、設定変更が極めて容易であり、瞬時に切り替えることができる。
【００１８】
さらに請求項６に記載の発明においては、２枚の表示板角度変更板の左右両端部に、折線を介して伸時固定用耳辺を設けたので、２枚の表示角度変更板を伸ばして平らにすることにより表示板の傾きを上向きにしたときに、この耳片を上に向かって折ることにより、表示板を傾いた状態に保持することが容易に可能である。
【図面の簡単な説明】
【００１９】
【図１】図１は、本発明に係る紙製表示体の一実施態様を、商品陳列棚の前柵に掛けた状態を示した斜視図である。（１）図は、表示板を立てた状態を示しており、（２）図は、表示板を斜めに傾けた状態を示している。
【図２】図２は、図１に示した紙製表示体を横から見た時の断面模式図である。（１）図は、表示板を立てた状態を示しており、（２）図は、表示板を斜めに傾けた状態を示している。
【図３】図３は、図１、図２に示した紙製表示体の展開図である。（Ａ）図は表示部の展開図であり、（Ｂ）図は、固定部の展開図である。
【図４】図４は、本発明に係る紙製表示体の他の実施態様を、商品陳列棚の前柵に掛けた状態を示した斜視図である。（１）図は、表示板を立てた状態を示しており、（２）図は、表示板を斜めに傾けた状態を示している。
【図５】図５は、図４に示した紙製表示体を横から見た時の断面模式図である。（１）図は、表示板を立てた状態を示しており、（２）図は、表示板を斜めに傾けた状態を示している。
【図６】図６は、図４、図５に示した紙製表示体の展開図である。（Ａ）図は表示部の展開図であり、（Ｂ）図は、固定部の展開図である。
【図７】図７は、本発明に係る紙製表示体の他の実施態様を、商品陳列棚の前柵に掛けた状態を示した斜視図である。（１）図は、表示板を立てた状態を示しており、（２）図は、表示板を斜めに傾けた状態を示している。
【図８】図８は、図７に示した紙製表示体を横から見た時の断面模式図である。（１）図は、表示板を立てた状態を示しており、（２）図は、表示板を斜めに傾けた状態を示している。
【図９】図９は、図７、図８に示した紙製表示体の展開図である。（Ａ）図は表示部の展開図であり、表示板を示している。（Ｂ）図は、固定部の展開図である。
【図１０】図１０は、実施例１の表示板を示したものである。
【発明を実施するための形態】
【００２０】
以下、図面に従って本発明に係る紙製表示体について詳細に説明する。
図１は、本発明に係る紙製表示体の一実施態様を、商品陳列棚の前柵に掛けた状態を示した斜視図である。（１）図は、表示板を立てた状態を示しており、（２）図は、表示板を
斜めに傾けた状態を示している。図２は、図１に示した紙製表示体を横から見た時の断面模式図である。（１）図は、表示板を立てた状態を示しており、（２）図は、表示板を斜めに傾けた状態を示している。また図３は、図１、図２に示した紙製表示体の展開図である。（Ａ）図は表示部の展開図であり、（Ｂ）図は、固定部の展開図である。以下の説明は、図１、図２、図３を並行して参照しながら行う。なおこの実施態様は、請求項１、２、３に記載の発明に対応するものである。
【００２１】
本発明に係る紙製表示体１は、必要な情報を表示する表示板４を少なくとも含む表示部３と、該表示部を保持する固定部２とを有し、前記表示板４の角度を変更する表示板角度変更機構を有することを特徴とする。固定部２は、箱構造の固定部本体５と引掛板６を有しており、図１に示したように、この固定部２を利用して商品陳列棚の前柵に簡単に引っ掛けることができる。
表示部３は、表示部３を固定部２に接着する接着片７と、接着片７に折線１３〜１６を介して順次連設した表示板保持板８と表示板４と表示板角度変更板９と差込片１０を有し、接着片７は、固定部２の表示部保持板１１の上部に接着されている。
表示角度変更機構としては、表示板保持板８と表示板４と表示板角度変更板９と固定部本体５の表示部保持板１１の４辺で疑似リンク機構を構成し、差込片１０の、差込み位置を変更することによって、表示板４の角度を変更するものであることを特徴とする。
【００２２】
この実施態様においては、表示板４の下辺に表示板角度変更板９が折線１５を介して連設されており、差込片１０の差込み位置が固定部本体５の表示部保持板１１の中央部と下部の２箇所であることを特徴とする。この表示部保持板中央部の差込み位置は、接着片７の下半分が接着されずに浮いている部分であり、表示部保持板下部の差込み位置は、表示部保持板１１と固定部本体底面板２０の間の折線２８上に設けた切込線２７である。
【００２３】
固定部２は、図３（Ｂ）の展開図に示したように、引掛板６から下方向に順に折線２３、２４、２８、２９、３０を介して、固定部本体上面板１７、表示部保持板１１、固定部本体底面板２０、固定部本体背面板２１、接着片２２が順に連設されている。表示部保持板１１の両側には、折線２５、２６を介して引掛板補強板１８と接着片１９が連設されている。折線を紙面から見てすべて山折りし、接着片２２を固定部本体上面板１７の裏面に接着し、接着片１９を引掛板６の裏面に接着することにより、固定部２が形成される。
固定部２は、このように直方体状の箱構造を持っているため、ねじれや折曲げに対する抵抗力を持ち、しっかりした表示体を形成する。
【００２４】
図４は、本発明に係る紙製表示体の他の実施態様を、商品陳列棚の前柵に掛けた状態を示した斜視図である。（１）図は、表示板を立てた状態を示しており、（２）図は、表示板を斜めに傾けた状態を示している。また図５は、図４に示した紙製表示体を横から見た時の断面模式図である。（１）図は、表示板を立てた状態を示しており、（２）図は、表示板を斜めに傾けた状態を示している。また、図６は、図４、図５に示した紙製表示体の展開図である。（Ａ）図は表示部の展開図であり、（Ｂ）図は、固定部の展開図である。以下の説明は、図４、図５、図６を並行して参照しながら行う。なおこの実施態様は、請求項１、２、４に記載の発明に対応するものである。
【００２５】
本発明に係る紙製表示体１は、必要な情報を表示する表示板４を少なくとも含む表示部３と、該表示部を保持する固定部２とを有し、前記表示板４の角度を変更する表示板角度変更機構を有することを特徴とする。固定部２は、箱構造の固定部本体５と引掛板６を有しており、図４に示したように、この固定部２を利用して商品陳列棚の前柵に簡単に引っ掛けることができる。
表示部３は、表示部３を固定部２に接着する接着片７と、接着片７に折線１３〜１６を介して順次連設した表示板保持板８と表示板４と表示板角度変更板９と差込片１０を有し、
接着片７は、固定部２の表示部保持板１１の下部に接着されている。
表示角度変更機構としては、表示板保持板８と表示板４と表示板角度変更板９と固定部本体５の表示部保持板１１の４辺で疑似リンク機構を構成し、差込片１０の、差込み位置を変更することによって、表示板４の角度を変更するものであることを特徴とする。
【００２６】
この実施態様においては、表示板４の上辺に表示板角度変更板９が折線１５を介して連設されており、差込片１０の差込み位置が固定部本体上面板１７の前部と後部の２箇所であることを特徴とする。２箇所の差込み位置は、それぞれ折線２４、２３の位置に設けた切込線３２、３１である。
【００２７】
固定部２は、図６（Ｂ）の展開図に示したように、引掛板６から下方向に順に折線２３、２４、２８、２９、３０を介して、固定部本体上面板１７、表示部保持板１１、固定部本体底面板２０、固定部本体背面板２１、接着片２２が順に連設されている。表示部保持板１１の両側には、折線２５、２６を介して引掛板補強板１８と接着片１９が連設されている。折線を紙面から見てすべて山折りし、接着片２２を固定部本体上面板１７の裏面に接着し、接着片１９を引掛板６の裏面に接着することにより、固定部２が形成される。
固定部２は、このように直方体状の箱構造を持っているため、ねじれや折曲げに対する抵抗力を持ち、しっかりした表示体を形成する。
【００２８】
図７は、本発明に係る紙製表示体の他の実施態様を、商品陳列棚の前柵に掛けた状態を示した斜視図である。（１）図は、表示板を立てた状態を示しており、（２）図は、表示板を斜めに傾けた状態を示している。図８は、図７に示した紙製表示体を横から見た時の断面模式図である。（１）図は、表示板を立てた状態を示しており、（２）図は、表示板を斜めに傾けた状態を示している。また図９は、図７、図８に示した紙製表示体の展開図である。（Ａ）図は表示部の展開図であり、表示板を示している。（Ｂ）図は、固定部の展開図である。以下の説明は、図７、図８、図９を並行して参照しながら行う。なおこの実施態様は、請求項１、５、６に記載の発明に対応するものである。
【００２９】
本発明に係る紙製表示体１は、必要な情報を表示する表示板４を少なくとも含む表示部３と、該表示部を保持する固定部２とを有し、前記表示板４の角度を変更する表示板角度変更機構を有することを特徴とする。この実施態様においては、表示部３は表示板４のみからなり、固定部２の表示板保持板８に直接接着されている。
【００３０】
固定部２は、箱構造の固定部本体５と引掛板６と固定部本体５の表示部保持板１１の下部に折線３６、３５、３４、１３を介して連設した２枚の表示板角度変更板１２と表示板保持板８と接着片７を有し、接着片７は、固定部本体５の表示部保持板１１の上部に接着されており、表示部３は、表示板保持板８に接着された表示板４からなり、表示角度変更機構としては、表示板保持板８と前記２枚の表示板角度変更板９と固定部本体５の表示部保持板１１の４辺で疑似リンク機構を構成し、前記２枚の表示板角度変更板９の屈伸によって前記表示板保持板８の角度を変更するものであることを特徴とする。
【００３１】
表示部保持板１１の中央部には、切込線３３によって形成された引掛板補強板１８と接着片１９が、折線２５、２６を介して連設されている。固定部２は、図９（Ｂ）の展開図において、折線２３、２４、２５を山折りし、折線１３、２６、３４、３５、３６を谷折りし、接着片７を表示部保持板１１の表面に、また接着片１９を引掛板６の裏面に接着することにより形成される。固定部本体５は、直方体状の箱構造を有し、さらに前記疑似リンク機構は、これを構成する４辺がつながった状態であるため、固定部２は、ねじれや折曲げに対する抵抗力を持ち、しっかりした表示体を形成する。
【００３２】
この実施態様においては、固定部２に表示板４以外のすべての機能が集中しており、従
って固定部２は、さまざまな表示体に対して共通に使用できるという特徴がある。また表示部３は、表示板４のみからなるので、表示板４の外形形状に対する自由度が高く、さまざまな形状の表示板を用いることが容易に可能である。また表示角度の変更は、２枚の表示角度変更板９の屈伸によって行われるため、設定変更が極めて容易であり、瞬時に切り替えることができる。
【００３３】
さらにこの実施態様においては、２枚の表示板角度変更板９の左右両端部に、折線３７を介して伸時固定用耳辺１２を設けたので、２枚の表示角度変更板９を伸ばして平らにすることにより表示板４の傾きを上向きにしたときに、この耳片１２を上に向かって折ることにより、表示板４を傾いた状態に保持することが容易に可能となる。
【００３４】
なお折線３４、３５、３６上に設けた切込線３８は、これら３本の折線が容易に折れるようにするためのものである。
【００３５】
本発明に用いる紙材料としては、一般的に使用される厚紙や、異なる種類の紙を貼り合わせた材料や、紙と金属箔やフィルムを貼り合わせた材料等が用いられる。用途やデザインに応じて様々な材料が使用可能である。紙の表面には、オフセット印刷法、グラビア印刷法、スクリーン印刷法等の印刷法を用いて、必要な情報を形成することができる。また例えば価格を記入すべき部分を空欄にしておき、後から価格だけを追記するというような使い方もできる。
以下実施例に基づき、本発明に係る紙製表示体について具体的に説明する。
【実施例１】
【００３６】
図７〜９に示した形状の表示体を作成した。ただし表示板の形状は、図１０のような、絵柄に合わせた変形形状とした。絵柄は、新発売の缶ビールの販売キャンペーンに関する絵柄であり、表示板４の形状は、缶ビールの外形に合わせたものである。この表示体は、小売店の陳列棚の落下防止柵に簡単に差込むことができ、下段の陳列棚では、表示角度を上向きにすることにより、視認性が良く、宣伝効果も良好であった。またキャンペーン終了後は、古紙としてリサイクルすることができた。
【符号の説明】
【００３７】
１・・・紙製表示体
２・・・固定部
３・・・表示部
４・・・表示板
５・・・固定部本体
６・・・引掛板
７・・・接着片
８・・・表示板保持板
９・・・表示板角度変更板
１０・・・差込片
１１・・・表示部保持板
１２・・・伸時固定用耳片
１３・・・折線
１４・・・折線
１５・・・折線
１６・・・折線
１７・・・固定部本体上面板
１８・・・引掛板補強板
１９・・・接着片
２０・・・固定部本体底面板
２１・・・固定部本体背面板
２２・・・接着片
２３・・・折線
２４・・・折線
２５・・・折線
２６・・・折線
２７・・・切込線
２８・・・折線
２９・・・折線
３０・・・折線
３１・・・切込線
３２・・・切込線
３３・・・切込線
３４・・・折線
３５・・・折線
３６・・・折線
３７・・・折線
３８・・・切込線
【図１】
2010243701.tif 000003
【図２】
2010243701.tif 000004
【図３】
2010243701.tif 000005
【図４】
2010243701.tif 000006
【図５】
2010243701.tif 000007
【図６】
2010243701.tif 000008
【図７】
2010243701.tif 000009
【図８】
2010243701.tif 000010
【図９】
2010243701.tif 000011
【図１０】
2010243701.tif 000012